(57)【要約】【課題】ウエアラブル機器により被検体に関する情報が取得された位置の把握を、容易とすることができる、病院支援システム、病院支援方法、制御装置、及び制御プログラムを提供する。【解決手段】病院支援システム４は、取得された患畜情報９４を記憶する記憶部９２と、患畜情報９４が取得された動物病院１内の位置を取得する取得部５４と、記憶部９２に記憶された患畜情報９４及び取得部５４が取得した位置情報９５を送信する送信部５６とを有する電子ペン５０と、患畜情報９４と被検体を識別するための識別情報とを対応付けて、電子ペン５０の送信部５６から送信された位置情報９５に基づいて患畜毎に検査管理端末２６の記憶部６２に病院管理情報６４として記憶させる制御を行う操作端末２４の制御部５９と、を備える。【選択図】図８
2019197494.tif 000002
【特許請求の範囲】
【請求項１】
取得された被検体に関する被検体情報を記憶する記憶部と、前記被検体情報が取得された病院内の位置を取得する取得部と、前記記憶部に記憶された前記被検体情報及び前記取得部が取得した前記位置を表す位置情報を送信する送信部とを有するウエアラブル機器と、
前記被検体情報と前記被検体を識別するための識別情報とを対応付けて、前記ウエアラブル機器の前記送信部から送信された前記位置情報に基づいて前記被検体毎に記憶装置に記憶させる制御を行う制御部と、
を備えた病院支援システム。
【請求項２】
前記制御部は、前記被検体情報と前記識別情報とに、さらに前記位置情報を対応付けて前記記憶装置に記憶させる制御を行う、
請求項１に記載の病院支援システム。
【請求項３】
前記記憶部は、前記被検体情報を画像情報の形式で記憶する、
請求項１または請求項２に記載の病院支援システム。
【請求項４】
前記画像情報の形式は、ＰＤＦ（Portable Document Format）形式である、
請求項３に記載の病院支援システム。
【請求項５】
前記記憶装置は、前記被検体に関する異なる種類の情報を前記被検体毎に記憶し、
前記制御部は、前記位置情報に基づいて前記被検体情報の前記種類を分類する、
請求項１から請求項４のいずれか１項に記載の病院支援システム。
【請求項６】
前記被検体に関する情報を表示する表示装置をさらに備え、
前記制御部は、前記表示装置に表示されている前記被検体に関する情報に対応する前記識別情報と、前記ウエアラブル機器から送信された前記被検体情報とを対応付けて、前記記憶装置に記憶させる制御を行う、
請求項１から請求項５のいずれか１項に記載の病院支援システム。
【請求項７】
前記表示装置に表示されている前記被検体に関する情報は、前記識別情報を含む、
請求項６に記載の病院支援システム。
【請求項８】
前記制御部は、前記ウエアラブル機器と前記表示装置との距離が予め定められた距離以内となった場合に、前記識別情報と、前記ウエアラブル機器の前記送信部から送信された前記被検体情報とを対応付けて、前記記憶装置に記憶させる制御を行う、
請求項６または請求項７に記載の病院支援システム。
【請求項９】
前記識別情報が記憶されたタグと、
前記タグから前記識別情報を読み取る、予め定められた位置に設けられた読取機と、
をさらに備え、
前記制御部は、前記読取機が前記タグから前記識別情報を読み取った場合、前記タグに記憶されている前記識別情報と、前記ウエアラブル機器の前記送信部から送信された前記被検体情報とを対応付けて、前記記憶装置に記憶させる制御を行う、
請求項１から請求項８のいずれか１項に記載の病院支援システム。
【請求項１０】
前記ウエアラブル機器は、電子ペンであり、前記記憶部は前記被検体情報として、前記被検体に関して記載された情報を記憶する、
請求項１から請求項９のいずれか１項に記載の病院支援システム。
【請求項１１】
前記ウエアラブル機器は、メガネに装着可能なカメラ、またはメガネと一体型のカメラであり、前記記憶部は、前記被検体情報として、前記被検体に関して撮影された画像を記憶する、
請求項１から請求項９のいずれか１項に記載の病院支援システム。
【請求項１２】
取得された被検体に関する被検体情報を記憶する記憶部と、前記記憶部に記憶された前記被検体情報を送信する送信部とを有するウエアラブル機器と、
前記ウエアラブル機器の送信部から送信された前記被検体情報を受信する受信部と、前記受信部が受信した前記被検体情報と前記被検体を識別するための識別情報とを対応付けて、前記受信部が前記被検体情報を受信した位置を表す位置情報に基づいて前記被検体毎に記憶装置に記憶させる制御を行う制御部とを有する受信装置と、
を備えた病院支援システム。
【請求項１３】
ウエアラブル機器が、取得された被検体に関する被検体情報を記憶し、前記被検体情報が取得された病院内の位置を取得し、記憶された前記被検体情報及び取得した前記位置を表す位置情報を送信し、
制御部が、前記被検体情報と前記被検体を識別するための識別情報とを対応付けて、前記ウエアラブル機器から送信された前記位置情報に基づいて前記被検体毎に記憶装置に記憶させる制御を行う、
処理を含む病院支援方法。
【請求項１４】
取得された被検体に関する被検体情報を記憶する記憶部と、前記被検体情報が取得された病院内の位置を取得する取得部と、前記記憶部に記憶された前記被検体情報及び前記取得部が取得した前記位置を表す位置情報を送信する送信部とを有するウエアラブル機器の前記送信部から送信された前記位置情報を受信する受信部と、
前記被検体情報と前記被検体を識別するための識別情報とを対応付けて、前記受信部が受信した前記位置情報に基づいて前記被検体毎に記憶装置に記憶させる制御を行う制御部と、
を備えた制御装置。
【請求項１５】
コンピュータを、
取得された被検体に関する被検体情報を記憶する記憶部と、前記被検体情報が取得された病院内の位置を取得する取得部と、前記記憶部に記憶された前記被検体情報及び前記取得部が取得した前記位置を表す位置情報を送信する送信部とを有するウエアラブル機器の前記送信部から送信された前記位置情報を受信する受信部と、
前記被検体情報と前記被検体を識別するための識別情報とを対応付けて、前記受信部が受信した前記位置情報に基づいて前記被検体毎に記憶装置に記憶させる制御を行う制御部と、
して機能させるための制御プログラム。
【発明の詳細な説明】
【技術分野】
【０００１】
本開示は、病院支援システム、病院支援方法、制御装置、及び制御プログラムに関する。
【背景技術】
【０００２】
従来、人の診療等を行う病院や、動物の診療等を行う動物病院では、乳幼児や動物等の被検体が暴れて機器を壊したり、汚したりする懸念があるため、タブレット端末やパーソナルコンピュータ等の電子機器を診察室等で使用したくないという要望があった。そのため、被検体に起因して壊れたり汚れたりする懸念が少ない、簡易的な電子機器として電子ペンや、メガネに装着可能なカメラ等のウエアラブル機器を用いることが行われている。
【０００３】
例えば、特許文献１には、ドットパターンが印刷された紙等の台紙の上に、罫線等の図案が印刷されたカルテ用紙に、医師が電子ペンで必要事項を記入すると、電子ペンにより記入された記入データと、カルテ番号等の識別情報とが対応付けられた状態でカルテ管理装置に記憶される技術が記載されている。
【先行技術文献】
【特許文献】
【０００４】
【特許文献１】特開２００４−５４３７５号公報
【発明の概要】
【発明が解決しようとする課題】
【０００５】
しかしながら、ウエアラブル機器は、簡易的であり、持ち運びが容易である反面、例えば、診察室や検査室等、医師等が診療等においてウエアラブル機器を用いた場所がわからなくなる場合があった。
【０００６】
本開示は、以上の事情を鑑みて成されたものであり、ウエアラブル機器により被検体に関する情報が取得された位置の把握を、容易とすることができる、病院支援システム、病院支援方法、制御装置、及び制御プログラムを提供することを目的とする。
【課題を解決するための手段】
【０００７】
上記目的を達成するために、本開示の第１の態様の病院支援システムは、取得された被検体に関する被検体情報を記憶する記憶部と、被検体情報が取得された病院内の位置を取得する取得部と、記憶部に記憶された被検体情報及び取得部が取得した位置を表す位置情報を送信する送信部とを有するウエアラブル機器と、被検体情報と被検体を識別するための識別情報とを対応付けて、ウエアラブル機器の送信部から送信された位置情報に基づいて被検体毎に記憶装置に記憶させる制御を行う制御部と、を備える。
【０００８】
本開示の第２の態様の病院支援システムは、第１の態様の病院支援システムにおいて、  制御部は、被検体情報と識別情報とに、さらに位置情報を対応付けて記憶装置に記憶させる制御を行う。
【０００９】
本開示の第３の態様の病院支援システムは、第１の態様または第２の態様の病院支援システムにおいて、記憶部は、被検体情報を画像情報の形式で記憶する。
【００１０】
本開示の第４の態様の病院支援システムは、第３の態様の病院支援システムにおいて、画像情報の形式は、ＰＤＦ（Portable Document Format）形式である。
【００１１】
本開示の第５の態様の病院支援システムは、第１の態様から第４の態様のいずれか１態様の病院支援システムにおいて、記憶装置は、被検体に関する異なる種類の情報を被検体毎に記憶し、制御部は、位置情報に基づいて被検体情報の種類を分類する。
【００１２】
本開示の第６の態様の病院支援システムは、第１の態様から第５の態様のいずれか１態様の病院支援システムにおいて、被検体に関する情報を表示する表示装置をさらに備え、制御部は、表示装置に表示されている被検体に関する情報に対応する識別情報と、ウエアラブル機器から送信された被検体情報とを対応付けて、記憶装置に記憶させる制御を行う。
【００１３】
本開示の第７の態様の病院支援システムは、第６の態様の病院支援システムにおいて、表示装置に表示されている被検体に関する情報は、識別情報を含む。
【００１４】
本開示の第８の態様の病院支援システムは、第６の態様または第７の態様の病院支援システムにおいて、制御部は、ウエアラブル機器と表示装置との距離が予め定められた距離以内となった場合に、識別情報と、ウエアラブル機器の送信部から送信された被検体情報とを対応付けて、記憶装置に記憶させる制御を行う。
【００１５】
本開示の第９の態様の病院支援システムは、第１の態様から第８の態様のいずれか１態様の病院支援システムにおいて、識別情報が記憶されたタグと、タグから識別情報を読み取る、予め定められた位置に設けられた読取機と、をさらに備え、制御部は、読取機がタグから識別情報を読み取った場合、タグに記憶されている識別情報と、ウエアラブル機器の送信部から送信された被検体情報とを対応付けて、記憶装置に記憶させる制御を行う。
【００１６】
本開示の第１０の態様の病院支援システムは、第１の態様から第９の態様のいずれか１態様の病院支援システムにおいて、ウエアラブル機器は、電子ペンであり、記憶部は被検体情報として、被検体に関して記載された情報を記憶する。
【００１７】
本開示の第１１の態様の病院支援システムは、第１の態様から第９の態様のいずれか１態様の病院支援システムにおいて、ウエアラブル機器は、メガネに装着可能なカメラ、またはメガネと一体型のカメラであり、記憶部は、被検体情報として、被検体に関して撮影された画像を記憶する。
【００１８】
本開示の第１２の態様の病院支援システムは、取得された被検体に関する被検体情報を記憶する記憶部と、記憶部に記憶された被検体情報を送信する送信部とを有するウエアラブル機器と、ウエアラブル機器の送信部から送信された被検体情報を受信する受信部と、受信部が受信した被検体情報と被検体を識別するための識別情報とを対応付けて、受信部が被検体情報を受信した位置を表す位置情報に基づいて被検体毎に記憶装置に記憶させる制御を行う制御部とを有する受信装置と、を備える。
【００１９】
本開示の第１３の態様の病院支援方法は、において、ウエアラブル機器が、取得された被検体に関する被検体情報を記憶し、被検体情報が取得された病院内の位置を取得し、記憶された被検体情報及び取得した位置を表す位置情報を送信し、制御部が、被検体情報と被検体を識別するための識別情報とを対応付けて、ウエアラブル機器から送信された位置情報に基づいて被検体毎に記憶装置に記憶させる制御を行う、処理を含む。
【００２０】
本開示の第１４の態様の制御装置は、取得された被検体に関する被検体情報を記憶する記憶部と、被検体情報が取得された病院内の位置を取得する取得部と、記憶部に記憶された被検体情報及び取得部が取得した位置を表す位置情報を送信する送信部とを有するウエアラブル機器の送信部から送信された位置情報を受信する受信部と、被検体情報と被検体を識別するための識別情報とを対応付けて、受信部が受信した位置情報に基づいて被検体毎に記憶装置に記憶させる制御を行う制御部と、を備えた。
【００２１】
上記目的を達成するために、本開示の第１５の態様の病院支援プログラムは、コンピュータを、取得された被検体に関する被検体情報を記憶する記憶部と、被検体情報が取得された病院内の位置を取得する取得部と、記憶部に記憶された被検体情報及び取得部が取得した位置を表す位置情報を送信する送信部とを有するウエアラブル機器の送信部から送信された位置情報を受信する受信部と、被検体情報と被検体を識別するための識別情報とを対応付けて、受信部が受信した位置情報に基づいて被検体毎に記憶装置に記憶させる制御を行う制御部と、して機能させるためのものである。
【発明の効果】
【００２２】
本開示によれば、ウエアラブル機器により被検体に関する情報が取得された位置の把握を、容易とすることができる。
【図面の簡単な説明】
【００２３】
【図１】実施形態の動物病院の構成の一例を示す平面図である。
【図２】実施形態の病院支援システムの構成の一例を示すブロック図である。
【図３】実施形態の操作端末のハードウェア構成の一例を示すブロック図である。
【図４】実施形態の電子ペンのハードウェア構成の一例を示すブロック図である。
【図５】実施形態の操作端末及び電子ペンの機能的な構成の一例を示すブロック図である。
【図６】実施形態の検査管理端末のハードウェア構成の一例を示すブロック図である。
【図７】実施形態の待合室用モニタ、診察用モニタ、及び管理用モニタのハードウェア構成の一例を示すブロック図である。
【図８】実施形態の操作端末で実行される制御処理の一例を示すフローチャートである。
【図９】実施形態の動物病院の構成の他の例を示す平面図である。
【図１０】実施形態の動物病院の構成の他の例を示す平面図である。
【図１１】図１０に示した実施形態の電子ペン及び受信装置の機能的な構成の一例を示すブロック図である。
【発明を実施するための形態】
【００２４】
以下、図面を参照して、本開示の技術を実施するための形態例を詳細に説明する。
【００２５】
まず、図１を参照して、本実施形態の病院支援システムの支援対象となる動物病院の一例について説明する。図１には、本実施形態の病院支援システムの支援対象となる動物病院の一例の平面図を示す。
【００２６】
図１に示すように、動物病院１には、待合室１０、第１診察室１１、第２診察室１２、バックヤード１４、検査室と手術室とを兼ねる検査室／手術室１６、及び入院室１８が設けられている。
【００２７】
待合室１０には、動物病院１に来院した被検体である動物（以下、罹患の如何にかかわらず「患畜」という）を受け付けるための受付が設けられており、動物病院１の獣医師や看護師等のスタッフ（以下、単に「スタッフ」という）が患畜の受付や会計に用いるための、受付／会計端末２０及び受付／会計端末用モニタ３０が配置されている。また、待合室１０には、診察等を待っている患畜の飼い主を視聴の対象とした内容の情報を表示するための待合室用モニタ３２が配置されている。待合室用モニタ３２には、患畜関連の各種の広告や、患畜の健康管理に役立つ情報（病気、健康診断、及びペットフード等の情報）や、動物病院１の紹介（ペットホテルの紹介やトリミングを行っている場合はトリミングに関する紹介）を表示させる形態としてもよい。また、待合室用モニタ３２には、各患畜の写真を表示させる形態としてもよい。例えば、飼い主が撮影したお気に入りの写真を、１枚または複数枚、表示させることにより、飼い主同士におけるコミュニケーションを円滑にすることができる。
【００２８】
第１診察室１１及び第２診察室１２の各々では、獣医師により患畜に対する診察や処置（治療）が行われる。第１診察室１１には、診察内容に関する情報や、いわゆるカルテ等の患畜に関する情報も表示するための診察用モニタ３３が配置されており、同様の目的で第２診察室１２には、診察用モニタ３４が配置されている。また、本実施形態の診察用モニタ３３及び診察用モニタ３４には、スタッフの指示により、検査機器群４４及び放射線検査装置４５による検査の結果、例えば、血液検査の結果や、放射線画像、及び超音波画像等も表示される。
【００２９】
バックヤード１４には、操作端末２４、操作入力用モニタ３８、及び管理用モニタ４０が設けられており、操作端末２４、操作入力用モニタ３８、及び管理用モニタ４０を用いて、スタッフにより動物病院１の全体の管理が行われる。本実施形態の操作端末２４は、動物病院１の管理に用いられる病院支援システム４（図２参照）の全体を制御する。本実施形態の操作端末２４が、本開示の制御部及び制御装置の一例である。また、本実施形態の操作入力用モニタ３８が、本開示の表示装置の一例である。
【００３０】
また、バックヤード１４では、獣医師等により患畜自身または患畜から取得した検体の検査や処置が行われる。そのため、バックヤード１４には、検査に用いられる検査機器群４４と、検査全般を管理するための検査管理端末２６及び検査管理用モニタ４２が配置されている。検査機器群４４は、例えば、血液化学検査装置、免疫検査装置、放射線検査装置、及び超音波検査装置等が含まれるが、特に限定されず、超音波検査装置、内視鏡検査装置等が含まれてもよい。なお、血液化学検査装置及び免疫検査装置の各々の具体例としては、富士フイルム株式会社製、商品名、ドライケム（登録商標）等が挙げられる。
【００３１】
検査室／手術室１６では、獣医師等により患畜の放射線画像の撮影や、患畜の手術が行われる。検査室／手術室１６には、患畜の放射線画像を撮影するための放射線検査装置４５が配置されており、放射線検査装置４５は、バックヤード１４に設けられた検査管理端末２６を用いて管理される。
【００３２】
入院室１８には、複数の患畜が入院（宿泊）することができ、さらに、いわゆるペットホテルとして複数の動物が宿泊することができる。
【００３３】
次に、図２を参照して、本実施形態の病院支援システム４の構成を説明する。図２に示すように、本実施形態の病院支援システム４では、上述した、受付／会計端末２０、操作端末２４、検査管理端末２６、待合室用モニタ３２、診察用モニタ３３、診察用モニタ３４、及び管理用モニタ４０の各々が、動物病院１内に設けられた、いわゆる院内ネットワークＮに通信が可能に接続されている。また、検査管理端末２６と、検査機器群４４及び放射線検査装置４５の各々とは、ネットワークＮを介さずに通信が可能に接続されている。検査管理端末２６と、検査機器群４４及び放射線検査装置４５との間の通信は、無線通信で行ってもよいし、有線通信で行ってもよい。また、操作端末２４と、スタッフ等により被検体に関する被検体情報の記載に用いられる電子ペン５０とは、ネットワークＮを介さずに通信が可能に接続されている。操作端末２４と電子ペン５０との間の通信は、無線通信で行われ、特にBluetooth（登録商標）等の近距離無線通信で行うことが操作性や利便性等の観点で好ましい。
【００３４】
次に、図３を参照して、本実施形態の操作端末２４のハードウェア構成を説明する。図３に示すように、操作端末２４は、ＣＰＵ（Central Processing Unit）６０、一時記憶領域としてのメモリ６１、及び不揮発性の記憶部６２を含む。また、操作端末２４は、キーボードやマウス等の入力部６６、電子ペン５０が接続される通信Ｉ／Ｆ６７、及びネットワークＮに接続されるネットワークＩ／Ｆ（InterFace）６８を含む。ＣＰＵ６０、メモリ６１、記憶部６２、入力部６６、通信Ｉ／Ｆ６７、ネットワークＩ／Ｆ６８、及び操作入力用モニタ３８は、バス６９に通信が可能に接続されている。
【００３５】
記憶部６２は、ＨＤＤ（Hard Disk Drive）、ＳＳＤ（Solid State Drive）、及びフラッシュメモリ等によって実現される。記憶媒体としての記憶部６２には、制御プログラム６３が記憶される。ＣＰＵ６０は、記憶部６２から制御プログラム６３を読み出してからメモリ６１に展開し、展開した制御プログラム６３を実行する。また、記憶部６２には、患畜に関する、いわゆるカルテに記録される患畜情報や、動物病院１全体を管理するための種々の情報を含む病院管理情報６４が記憶される。本実施形態の記憶部６２が、本開示の記憶装置の一例である。
【００３６】
また、図４を参照して、本実施形態の電子ペン５０のハードウェア構成を説明する。図４に示すように、電子ペン５０は、ＣＰＵ９０、一時記憶領域としてのメモリ９１、及び不揮発性の記憶部９２を含む。また、電子ペン５０は、操作端末２４と通信するための通信Ｉ／Ｆ９７、及びスタッフや飼い主等により紙等の記録媒体に記載された情報を読み取る読取部９６を含む。ＣＰＵ９０、メモリ９１、記憶部９２、読取部９６、及び通信Ｉ／Ｆ９７は、バス９９に通信が可能に接続されている。
【００３７】
記憶部９２は、ＨＤＤ、ＳＳＤ、及びフラッシュメモリ等によって実現される。記憶媒体としての記憶部９２には、画像処理プログラム９３が記憶される。ＣＰＵ９０は、記憶部９２から画像処理プログラム９３を読み出してからメモリ９１に展開し、展開した画像処理プログラム９３を実行することで画像処理を実行する。また、記憶部９２には、詳細を後述する患畜情報９４及び位置情報９５が記憶される。
【００３８】
図５を参照して、本実施形態の操作端末２４及び電子ペン５０の機能的な構成について説明する。図５に示すように、電子ペン５０は、取得部５４、送信部５６、及び記憶部９２を有する。ＣＰＵ９０が画像処理プログラム９３を実行することで、送信部５６として機能する。
【００３９】
記憶部９２には、ＣＰＵ９０が画像処理プログラム９３を実行することにより、読取部９６により読み取られた患畜情報が画像情報の形式とされ、患畜情報９４として記憶される。なお、本実施形態の電子ペン５０が、記録媒体に記載された患畜情報を取得する方法は特に限定されない。例えば、特開２００４−５４３７５号公報に記載された技術を適用する形態としてもよい。この公報に記載された技術では、記録媒体として所定のフォーマット（ドットパターン）が印刷された専用紙を用い、ドットパターンを読み取ることによって専用紙に記載された内容に対応するデータを取得している。また例えば、ぺんてる株式会社製、商品名、エアペンポケット（airpenpocket）（登録商標）等のように、記録媒体として専用紙を用いない（記録媒体が限定されない）技術を適用する形態としてもよい。この技術では、電子ペン５０による筆記中にペン先から、赤外線と超音波とを同時に発信し、記録媒体によって反射した赤外線及び超音波を受信し、受信時間の差に基づいてペン先の位置を導出することで、電子ペン５０により記載された内容に対応するデータを取得している。
【００４０】
本実施形態では、上述のようにＣＰＵ９０が画像処理を実行することで、取得部５４が取得した情報に対して画像処理を施して画像情報の形式とし、画像情報の形式とされた患畜情報が、患畜情報９４として記憶部９２に記憶される。画像情報の形式としては、例えば、ＰＤＦ（Portable Document Format）形式、ＪＰＥＧ（Joint Photographic Experts Group）形式、ＧＩＦ（Graphics Interchange Format）形式、及びＰＮＧ（Portable Network Graphics）形式等が挙げられるが、扱いやすさ等の観点からは、ＰＤＦ形式を採用することが好ましい。なお、本実施形態に限定されず、画像情報の形式ではなく、テキスト形式等、ＯＣＲ（Optical Character Recognition/Reader）を施した形式としてもよいが、画像情報の形式を採用する場合に比べて、電子ペン５０における画像処理が繁雑になり、処理負荷も大きくなる。
【００４１】
本実施形態の取得部５４は、患畜情報９４が取得された動物病院１内の位置、具体的には位置を表す位置情報９５を取得する機能を有する。取得部５４が、位置情報９５を取得する方法は特に限定されない。例えば、電子ペン５０が、ＧＰＳ（Global Positioning System）センサ等の位置の検出用のセンサを備える場合は、取得部５４が、センサにより検出した位置情報９５を取得する形態としてもよい。また例えば、位置を示す情報をスタッフ等が電子ペン５０により記載し、読取部９６により読み取られた位置を示す情報に応じて位置情報９５を取得する形態としてもよい。取得部５４が取得した位置情報９５は、患畜情報９４に対応付けられた状態で、記憶部９２に記憶される。
【００４２】
送信部５６は、通信Ｉ／Ｆ９７により、記憶部９２に記憶されている、患畜情報９４と位置情報９５とを操作端末２４に送信する機能を有する。
【００４３】
一方、図５に示すように、操作端末２４は、受信部５８及び制御部５９を有する。受信部５８は、通信Ｉ／Ｆ６７により、電子ペン５０の送信部５６から送信された患畜情報９４と位置情報９５とを受信する機能を有する。制御部５９は、受信部５８が受信した患畜情報９４と、患畜情報９４に応じた患畜の識別情報とを対応付けて、位置情報９５に基づいて、患畜毎に、病院管理情報６４として記憶部６２に記憶させる機能を有する。
【００４４】
また、図６を参照して、本実施形態の検査管理端末２６のハードウェア構成を説明する。図６に示すように、検査管理端末２６は、ＣＰＵ７０、一時記憶領域としてのメモリ７１、及び不揮発性の記憶部７２を含む。また、検査管理端末２６は、キーボードやマウス等の入力部７６、検査機器群４４及び放射線検査装置４５と通信するための通信Ｉ／Ｆ７７、及びネットワークＮに接続されるネットワークＩ／Ｆ７８を含む。ＣＰＵ７０、メモリ７１、記憶部７２、入力部７６、通信Ｉ／Ｆ７７、ネットワークＩ／Ｆ７８、及び検査管理用モニタ４２は、バス７９に通信が可能に接続されている。
【００４５】
記憶部７２は、ＨＤＤ、ＳＳＤ、及びフラッシュメモリ等によって実現される。記憶媒体としての記憶部７２には、検査管理プログラム７３が記憶される。ＣＰＵ７０は、記憶部７２から検査管理プログラム７３を読み出してからメモリ７１に展開し、展開した検査管理プログラム７３を実行する。また、記憶部７２には、検査機器群４４及び放射線検査装置４５を管理するための機器管理情報７４が記憶される。
【００４６】
さらに、図７を参照して、本実施形態の待合室用モニタ３２のハードウェア構成を説明する。図７に示すように、待合室用モニタ３２は、ＣＰＵ８０、一時記憶領域としてのメモリ８１、及び不揮発性の記憶部８２を含む。また、待合室用モニタ３２は、音声を出力するスピーカ等の出力部８５、リモートコントローラ等の入力部８６、液晶ディスプレイ等の表示部８７、及びネットワークＮに接続されるネットワークＩ／Ｆ８８を含む。ＣＰＵ８０、メモリ８１、記憶部８２、出力部８５、入力部８６、表示部８７、及びネットワークＩ／Ｆ８８は、バス８９に通信が可能に接続されている。
【００４７】
記憶部８２は、ＨＤＤ、ＳＳＤ、及びフラッシュメモリ等によって実現される。記憶媒体としての記憶部８２には、表示制御プログラム８３が記憶される。ＣＰＵ８０は、記憶部８２から表示制御プログラム８３を読み出してからメモリ８１に展開し、展開した表示制御プログラム８３を実行する。ＣＰＵ８０は、表示制御プログラム８３を実行することにより、操作端末２４の制御に応じて表示部８７への各種情報の表示の制御を行う。
【００４８】
診察用モニタ３３、診察用モニタ３４、及び管理用モニタ４０各々のハードウェア構成は、待合室用モニタ３２と同様であるため、説明を省略する。
【００４９】
次に、本実施形態の病院支援システム４の作用を説明する。本実施形態では、操作端末２４のＣＰＵ６０が制御プログラム６３を実行することによって、図８に示す制御処理が実行される。ＣＰＵ６０が制御処理を実行することにより、電子ペン５０を用いてスタッフ等が記載した患畜情報９４が、操作端末２４の記憶部９２に記憶される。図８に示す制御処理は、例えば、操作端末２４に電源（図示省略）が投入されたタイミング等で実行される。
【００５０】
ステップＳ１００でＣＰＵ６０は、受信部５８が、電子ペン５０の送信部５６から送信された患畜情報９４を受信したか否かを判定する。患畜情報９４を受信するまでステップＳ１００の判定が否定判定となる。本実施形態では、一例として、操作端末２４（操作入力用モニタ３８）と電子ペン５０との距離が、予め定められた距離以下となった場合、電子ペン５０の送信部５６から患畜情報９４と患畜情報９４に対応付けられた位置情報９５とが操作端末２４に送信される。操作端末２４の受信部５８が患畜情報９４を受信した場合、ステップＳ１００の判定が肯定判定となってステップＳ１０２へ移行する。
【００５１】
ステップＳ１０２でＣＰＵ６０は、操作入力用モニタ３８に、患畜に関する情報が表示された状態であるか否かを判定する。操作入力用モニタ３８に、患畜に関する情報が表示された状態ではない場合、ステップＳ１０２の判定が否定判定となり、ステップＳ１０４へ移行する。
【００５２】
ステップＳ１０４でＣＰＵ６０は、受信した患畜情報９４に識別情報が含まれているか否かを判定する。例えば、スタッフ等が、電子ペン５０により、患畜情報９４として識別情報を記載した場合等、患畜情報９４に識別情報が含まれている場合、ステップＳ１０４の判定が肯定判定となり、ステップＳ１１４へ移行する。一方、患畜情報９４に識別情報が含まれていない場合、ステップＳ１０４の判定が否定判定となり、ステップＳ１０６へ移行する。
【００５３】
ステップＳ１０６でＣＰＵ６０は、予め定められたエラー処理を行う。本実施形態の病院支援システム４では、識別情報と対応付けて患畜情報９４を検査管理端末２６の記憶部６２に病院管理情報６４として記憶させるため、識別情報が取得できない場合、エラーとなる。そのため、ＣＰＵ６０は、予め定められたエラー処理を行うが、識別情報の取得を可能とするための処理であればよく、具体的な処理の内容は特に限定されず、例えば、識別情報が取得できない（不明である）ことを示す情報を、操作入力用モニタ３８に表示させる処理を行う形態としてもよい。この場合、スタッフに、操作端末２４の入力部６６により識別情報を入力させるための指示を、操作入力用モニタ３８に表示させる形態とすることが好ましい。
【００５４】
本ステップのエラー処理により、スタッフにより識別情報が入力された場合等は、ＣＰＵ６０は、入力された識別情報を取得する。
【００５５】
次のステップＳ１０８でＣＰＵ６０は、上記ステップＳ１０６のエラー処理の結果、識別情報が取得できたか否かを判定する。識別情報が取得された場合、ステップＳ１０８の判定が肯定判定となり、ステップＳ１１６へ移行する。一方、上記エラー処理を行っても、識別情報が取得されない場合、受信した患畜情報９４を記憶部６２に記憶させることなく、ステップＳ１００に戻る。なお、本実施形態では、この場合、電子ペン５０の記憶部９２には、患畜情報９４が記憶されたままの状態とされる。
【００５６】
一方、患畜情報９４に識別情報が含まれる場合、ステップＳ１０４の判定が肯定判定となり、ステップＳ１１６へ移行する。
【００５７】
一方、操作入力用モニタ３８に、患畜に関する情報が表示された状態である場合、ステップＳ１０２の判定が肯定判定となり、ステップＳ１１０へ移行する。ステップＳ１１０でＣＰＵ６０は、上記ステップＳ１０４と同様に、受信した患畜情報９４に識別情報が含まれているか否かを判定する。
【００５８】
患畜情報９４に識別情報が含まれている場合、ステップＳ１１０の判定が肯定判定となり、ステップＳ１１２へ移行する。ステップＳ１１２でＣＰＵ６０は、操作入力用モニタ３８に表示されている情報に対応する患畜の識別情報と、患畜情報９４に含まれている識別情報とが一致するか否かを判定する。なお、ＣＰＵ６０が、操作入力用モニタ３８に表示されている情報に対応する患畜の識別情報を取得する方法は特に限定されない。操作入力用モニタ３８に識別情報が表示されている場合、表示されている情報に基づいて取得すればよい、また、操作入力用モニタ３８に識別情報が表示されてない場合、情報が表示されている患畜に対応する識別情報を、病院管理情報６４を参照して取得すればよい。両方の識別情報が一致する場合、ステップＳ１１２の判定が肯定判定となり、ステップＳ１１６へ移行する。一方、両方の識別情報が一致しない場合（不一致の場合）、ステップＳ１１２の判定が否定判定となり、ステップＳ１０６へ移行する。上述したように、ステップＳ１０６では、予め定められたエラー処理を行うことにより、適切な識別情報の取得を可能とするための処理が行われる。
【００５９】
一方、患畜情報９４に識別情報が含まれていない場合、ステップＳ１１０の判定が否定判定となり、ステップＳ１１４へ移行する。ステップＳ１１４でＣＰＵ６０は、操作入力用モニタ３８に表示されている情報に対応する患畜の識別情報を取得した後、ステップＳ１１６へ移行する。
【００６０】
ステップＳ１１６でＣＰＵ６０は、受信した位置情報９５に基づいて、患畜情報９４の種類を分類する。本実施形態の記憶部６２の病院管理情報６４に記憶される患畜情報９４には、複数の種類が存在し、複数の種類のいずれかが、取得部５４が患畜情報９４を取得した位置に対応付けられている。
【００６１】
具体的には、例えば、待合室１０において、飼い主が電子ペン５０を用いて問診票を記載した場合、問診票の内容を表す情報が患畜情報９４として、待合室１０を表す位置情報９５と対応付けられた状態で電子ペン５０の記憶部９２に記憶される。そのため、この場合、位置情報９５が、待合室１０を表していれば、患畜情報９４の種類が「問診票」であると分類できる。
【００６２】
また例えば、第１診察室１１において、獣医師が電子ペン５０を用いてカルテを記載した場合、カルテの内容を表す情報が患畜情報９４として、第１診察室１１を表す位置情報９５と対応付けられた状態で電子ペン５０の記憶部９２に記憶される。第２診察室１２おいて、獣医師が電子ペン５０を用いてカルテを記載した場合も同様に、カルテの内容を表す情報が患畜情報９４として、第２診察室１２を表す位置情報９５と対応付けられた状態で電子ペン５０の記憶部９２に記憶される。そのため、この場合、位置情報９５が、第１診察室１１または第２診察室１２を表していれば、患畜情報９４の種類が「カルテ」であると分類できる。
【００６３】
また例えば、バックヤード１４において、スタッフが電子ペン５０を用いて検査結果等の検査に関する検査情報を記載した場合、検査情報が患畜情報９４として、バックヤード１４を表す位置情報９５と対応付けられた状態で電子ペン５０の記憶部９２に記憶される。そのため、この場合、位置情報９５が、バックヤード１４を表していれば、患畜情報９４の種類が「検査情報」であると分類できる。
【００６４】
次のステップＳ１１８でＣＰＵ６０は、識別情報と対応付けて、上記ステップＳ１１６の分類に応じて患畜情報９４を、操作端末２４の記憶部６２に、病院管理情報６４として記憶させる。なお、ＣＰＵ６０が、患畜情報９４を記憶部６２に記憶させるにあたり、位置情報９５も対応付けて記憶部６２に記載させる形態としてもよい。
【００６５】
次のステップＳ１２０でＣＰＵ６０は、本制御処理を終了するか否かを判定する。例えば、操作端末２４のスイッチ（図示省略）がオフ状態とされるまで、ステップＳ１２０の判定が否定判定となり、ステップＳ１００に戻り、ステップＳ１００〜Ｓ１１８の処理を繰り返す。一方、例えば、操作端末２４のスイッチがオフ状態とされた場合、ステップＳ１２０の判定が肯定判定となり、本制御処理を終了する。
【００６６】
以上説明したように、本実施形態の病院支援システム４は、取得された患畜情報９４を記憶する記憶部９２と、患畜情報９４が取得された動物病院１内の位置を取得する取得部５４と、記憶部９２に記憶された患畜情報９４及び取得部５４が取得した位置情報９５を送信する送信部５６とを有する電子ペン５０と、患畜情報９４と被検体を識別するための識別情報とを対応付けて、電子ペン５０の送信部５６から送信された位置情報９５に基づいて患畜毎に検査管理端末２６の記憶部６２に病院管理情報６４として記憶させる制御を行う操作端末２４の制御部５９と、を備える。
【００６７】
このように、本実施形態の病院支援システム４では、電子ペン５０の送信部５６から送信された位置情報９５に基づいて患畜毎に検査管理端末２６の記憶部６２に患畜情報９４が識別情報と対応付けられて記憶される。従って、本実施形態の病院支援システム４によれば、電子ペン５０により患畜情報９４が取得された位置の把握を、容易とすることができる。
【００６８】
なお、電子ペン５０が、記憶部９２に記憶されている患畜情報９４と位置情報９５とを、操作端末２４に送信する形態は、本実施形態で説明した形態に限定されない。例えば、患畜の識別番号が記憶されたＩＣ（Integrated Circuit）タグと、ＩＣタグから識別情報を読み取るための読取機として機能するタグリーダとを用いる形態としてもよい。この形態の場合、例えば、図９に示した一例のように、待合室１０にタグリーダ１００を、第１診察室１１にタグリーダ１０１を、第２診察室１２にタグリーダ１０２を、バックヤード１４にタグリーダ１０４及び１０６を、検査室／手術室１６にタグリーダ１０８を、さらに入院室１８にタグリーダ１０９を各々、各位置（部屋）に対応付けて配置しておく。そして、患畜情報９４が記憶部９２に記憶された状態の電子ペン５０と、患畜の識別番号が記憶されたＩＣ（Integrated Circuit）タグとをバインダ等を用いることにより一体的にした状態とし、ＩＣタグの識別情報をタグリーダ１００、１０１、１０２、１０４、１０６、１０８、１０９のいずれかにより読み取らせる。タグリーダ１００、１０１、１０２、１０４、１０６、１０８、１０９のいずれかが識別情報を読み取った場合、読み取った識別情報と、読み取ったタグリーダに対応付けられている位置情報９５と、電子ペン５０の記憶部９２に記憶された患畜情報９４と、を対応付けて操作端末２４に送信する形態とすればよい。
【００６９】
このようなＩＣタグとしては、患畜の診察券にＩＣタグを含む形態としてもよいし、カルテ等に貼り付けが可能な、いわゆる、ＩＣタグシール等の形態であってもよい。また、ＩＣタグに代えて、またはＩＣタグと共に、ＮＦＣ（Near Field Communication）タグや、２次元バーコードが印刷されたシールやＧＰＳタグ等を採用してもよい。なお、ＧＰＳタグを採用した場合、ＧＰＳタグから得られる位置情報９５に基づいて、操作端末２４に近付いたことが検出された場合に、識別情報と、位置情報９５と、電子ペン５０の記憶部９２に記憶された患畜情報９４と、を対応付けて操作端末２４に送信する形態とすることにより、タグリーダのような読取機を設けなくてもよくなるため、好ましい。
【００７０】
また、本実施形態では、位置情報９５として、電子ペン５０の取得部５４が取得した位置情報９５を用いる形態について説明したが、位置情報９５の取得方法等は、本実施形態に限定されない。例えば、電子ペン５０の送信部５６からは、患畜情報９４は送信するが位置情報９５は送信しない形態とし、電子ペン５０の送信部５６から送信された患畜情報９４を受信して、操作端末２４の記憶部６２に記憶させるための受信装置として機能する受信装置とを用いる形態としてもよい。この形態の病院支援システム４の場合、例えば、図１０に示した一例のように、待合室１０に受信装置２００を、第１診察室１１に受信装置２０１を、第２診察室１２に受信装置２０２を、バックヤード１４に受信装置２０４及び２０６を、検査室／手術室１６に受信装置２０８を、さらに入院室１８に受信装置２０９を各々、各位置（部屋）に対応付けて配置しておく。
【００７１】
図１１を参照して、この場合の電子ペン５０及び受信装置２００、２０１、２０２、２０４、２０６、２０８、２０９の機能的な構成について説明する。
【００７２】
図１１に示すように、電子ペン５０は、送信部５６Ａ、及び患畜情報９４が記憶される記憶部９２を有する。送信部５６は、通信Ｉ／Ｆ９７により、記憶部９２に記憶されている、患畜情報９４を操作端末２４に送信する機能を有する。
【００７３】
一方、図１１に示すように、受信装置２００は、受信部２１０、記憶部２１２、制御部２１４、及び送信部２１６を有する。受信部２１０は、通信Ｉ／Ｆ（図示省略）により、電子ペン５０の送信部５６Ａから送信された患畜情報９４を受信する機能を有する。記憶部２１２は、自装置の位置を表す位置情報９５を記憶する機能を有する。なお、記憶部２１２に代えて、自装置の位置を検出するＧＰＳセンサ等の位置の検出用のセンサを備える形態としてもよい。
【００７４】
制御部２１４は、電子ペン５０の送信部５６Ａから送信された患畜情報９４を受信部２１０が受信した位置を表す位置情報９５を記憶部２１２から取得し、患畜情報９４と、位置情報９５とを対応付けて、送信部２１６から操作端末２４へ送信させ、操作端末２４の記憶部６２に、患畜情報９４と、識別情報とを対応付けて、位置情報９５に基づいて患畜毎に記憶させる制御を行う機能を有する。
【００７５】
受信装置２０１、２０２、２０４、２０６、２０８、２０９各々の機能的な構成は、受信装置２００と同様であるため、説明を省略する。
【００７６】
この場合の病院支援システム４では、電子ペン５０が使用される動物病院１内の各部屋に設けられた受信装置２００、２０１、２０２、２０４、２０６、２０８、２０９の各々によって取得された位置情報９５に基づいて患畜毎に検査管理端末２６の記憶部６２に患畜情報９４が識別情報と対応付けられて記憶される。そのため、この場合の病院支援システム４においても、電子ペン５０により患畜情報９４が取得された位置の把握を、容易とすることができる。
【００７７】
また例えば、記録媒体の予め定められた位置に、識別情報が記載された場合、記載された識別情報と対応付けて、位置情報９５と、電子ペン５０の記憶部９２に記憶されている患畜情報９４とを、操作端末２４に送信する形態としてもよい。
【００７８】
また、本実施形態では、本開示のウエアラブル機器の一例として電子ペン５０を採用した形態について説明したが、ウエアラブル機器は、本実施形態に限定されず、飼い主やスタッフ等が、身につけること等により、容易に持ち運びが可能な電子機器であればよい。このようなウエアラブル機器の他の例としては、スタッフが装着するメガネに装着が可能なカメラ、またはメガネと一体型のカメラ等の撮像装置が挙げられる。ウエアラブル機器として、カメラを含む形態とした場合、スタッフが記載した患畜情報９４に限定されず、スタッフの指示に応じて撮像が行われるため、スタッフが視認した光景（状態）と同様の光景（状態）を画像情報の形式で記録することができる。さらに、ウエアラブル機器の他の例としては、スタッフによる装着が可能なマイク（集音装置）等であってもよい。ウエアラブル機器としてマイクを用いる場合、電子ペン５０での手書き入力に代えて、音声で患畜情報９４や識別情報を入力してもよい。この場合、音声で入力された患畜情報９４は、音声（言語）情報を認識して文字情報に変換する処理を行い、これを画像情報形式もしくはテキスト形式として記録することが、閲覧の観点で好ましい。
【００７９】
また、本実施形態では、操作端末２４が本開示の制御部及び制御装置の一例として機能する形態について説明したが、操作端末２４に代えて、または操作端末２４と共に、検査管理端末２６等の操作端末２４と異なる装置が、本開示の制御部及び制御装置の一例として機能する形態としてもよい。また、本実施形態では、操作端末２４の記憶部６２が本開示の記憶装置の一例として機能する形態について説明したが、記憶部６２に代えて、または記憶部６２と共に、病院支援システム４の外部の記憶装置等の記憶部６２と異なる装置が、本開示の記憶装置の一例として機能する形態としてもよい。
【００８０】
また、本実施形態では、人間以外の動物を診療する動物病院１を病院支援システム４が適用される病院の一例とし、被検体を人間以外の動物（患畜）とした形態について説明したが、本実施形態に限定されず、人間を診療する病院を病院支援システム４が適用される病院の一例とし、被検体を人間とした形態であってもよい。特に、救急医療の現場等では、乳幼児や患者が、人間以外の動物の場合と同様に、暴れて機器を壊したり、汚したりする懸念があるため、診療等において、タブレット端末やパーソナルコンピュータ等の電子機器が使用し難い場合がある。そのため、人間を診療する病院を病院支援システム４が適用される病院とした場合でも、上述したように、ウエアラブル機器により患畜情報９４に関する情報が取得された位置の把握を、容易とすることができる、という効果を得ることができる。
【００８１】
また、上記実施形態でＣＰＵがソフトウェア（プログラム）を実行することにより実行した各種処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、上記各種処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００８２】
また、上記実施形態では、制御プログラム６３が記憶部６２に予め記憶（インストール）されており、画像処理プログラム９３が記憶部９２に予め記憶されており、検査管理プログラム７３が記憶部７２に予め記憶されており、また、表示制御プログラム８３が記憶部８２に予め記憶されている態様を説明したが、これに限定されない。制御プログラム６３、画像処理プログラム９３、検査管理プログラム７３、及び表示制御プログラム８３の各々は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、制御プログラム６３、画像処理プログラム９３、検査管理プログラム７３、及び表示制御プログラム８３の各々は、ネットワークを介して外部装置からダウンロードされる形態としてもよい。
【符号の説明】
【００８３】
１  動物病院
４  病院支援システム
１０  待合室
１１  第１診察室
１２  第２診察室
１４  バックヤード
１６  検査室／手術室
１８  入院室
２０  受付／会計端末
２４  操作端末
２６  検査管理端末
３０  受付／会計端末用モニタ
３２  待合室用モニタ
３３、３４  診察用モニタ
３８  操作入力用モニタ
４０  管理用モニタ
４２  検査管理用モニタ
４４  検査機器群
４５  放射線検査装置
５０  電子ペン
５４  取得部
５６、５６Ａ  送信部
５８  受信部
５９  制御部
６０、７０、８０、９０  ＣＰＵ
６１、７１、８１、９１  メモリ
６２、７２、８２、９２  記憶部
６３  制御プログラム
６４  病院管理情報
６６、７６、８６  入力部
６７、７７、９７  通信Ｉ／Ｆ
６８、７８、８８  ネットワークＩ／Ｆ
６９、７９、８９  バス
７３  検査管理プログラム
７４  機器管理情報
８３  表示制御プログラム
８５  出力部
８７  表示部
９０  表示制御プログラム
９３  画像処理プログラム
９４  患畜情報
９５  位置情報
９６  読取部
１００、１０１、１０２、１０４、１０６、１０８、１０９  タグリーダ
２００、２０１、２０２、２０４、２０６、２０８、２０９  受信装置
２１０  受信部
２１２  記憶部
２１４  制御部
２１６  送信部
Ｎ  ネットワーク
【図１】
2019197494.tif 000003
【図２】
2019197494.tif 000004
【図３】
2019197494.tif 000005
【図４】
2019197494.tif 000006
【図５】
2019197494.tif 000007
【図６】
2019197494.tif 000008
【図７】
2019197494.tif 000009
【図８】
2019197494.tif 000010
【図９】
2019197494.tif 000011
【図１０】
2019197494.tif 000012
【図１１】
2019197494.tif 000013